(57)【要約】【課題】光ディスクのレーベル面に描画を行うと共に、小型化及び省エネルギー化が達成された光ピックアップ装置及びこれを備えた光ディスク装置を提供する。【解決手段】ＢＤの情報記録面１０２に光ビームを照射する第１の光源１１と、ＢＤのレーベル面１０３と、ＤＶＤ及びＣＤの情報記録面１０２及びレーベル面１０３に光ビームを照射する第２の光源１２と、ＢＤに光ビームを集光する対物レンズ６と、ＢＤのレーベル面１０３と、ＤＶＤ及びＣＤの情報記録面１０２及びレーベル面１０３に光ビームを集光する対物レンズ５と、対物レンズ６に入射する光ビームの発散角を変更するＣＰレンズ２と、対物レンズ５に入射する光ビームの発散角を変更するＣＰレンズ１と、ＣＰレンズ１を光軸方向に移動させるＣＰレンズ移動装置４を備えた光ピックアップ装置である。【選択図】図５
2010108564.tif 000002
【特許請求の範囲】
【請求項１】
光ディスクのレーベル面に描画が可能であると共に、光ディスクの情報記録面に情報を記録する及び／または当該情報記録面に記録された情報を再生する光ピックアップ装置であって、
第１の光ディスクの情報記録面に第１の光ビームを照射する第１の光源と、
前記第１の光ディスクのレーベル面と、第２の光ディスクの情報記録面及びレーベル面に第２の光ビームを照射する第２の光源と、
前記第１の光ディスクの情報記録面に前記第１の光ビームを集光する第１の対物レンズと、
前記第１の光ディスクのレーベル面と、第２の光ディスクの情報記録面及びレーベル面に、前記第２の光ビームを集光する第２の対物レンズと、
前記第１の光ビームと第１の対物レンズとの間に配置され、当該第１の光ビームの発散角を変更する第１のカップリングレンズと、
前記第２の光ビームと第１の対物レンズとの間に配置され、当該第２の光ビームの発散角を変更する第２のカップリングレンズと、
前記第２の光ビームが集光される集光面に応じて、前記第２のカップリングレンズを光軸方向に移動させるカップリングレンズ移動装置と、
を備えた光ピックアップ装置。
【請求項２】
前記カップリングレンズ移動装置は、前記第２の光ビームの焦点位置が前記集光面上となるよう前記第２のカップリングレンズを光軸方向に移動させる請求項１記載の光ピックアップ装置。
【請求項３】
前記第２の対物レンズを前記第２の光ディスクに対し光軸方向に移動させる対物レンズ移動装置をさらに備え、
前記対物レンズ移動装置は、前記第２の光ビームが集光される集光面に応じて、当該第２の光ビームの焦点位置が前記集光面上となるよう前記第２の対物レンズを光軸方向に移動させる請求項１記載の光ピックアップ装置。
【請求項４】
前記カップリングレンズ移動装置は、前記第１の光ディスクのレーベル面または第２の光ディスクのレーベル面に描画を行う際に、前記第２のカップリングレンズを光軸方向に移動させる請求項１ないし請求項３のいずれか一項に記載の光ピックアップ装置。
【請求項５】
前記対物レンズ移動装置は、前記第１の光ディスクのレーベル面または第２の光ディスクのレーベル面に描画を行う際に、前記第２の対物レンズを光軸方向に移動させる請求項１ないし請求項４のいずれか一項に記載の光ピックアップ装置。
【請求項６】
前記第１のカップリングレンズ及び前記第２のカップリングレンズを搭載するカップリングレンズホルダをさらに備え、
前記カップリングレンズ移動装置は、前記第１の光ビーム及び第２の光ビームが集光される集光面に応じて、当該カップリングレンズホルダを移動させる請求項１ないし請求項５のいずれか一項に記載の光ピックアップ装置。
【請求項７】
前記第１の光ディスクがブルーレイディスクであり、前記第１の光ビームは、当該ブルーレイディスクに対する情報の記録または再生用の光ビームである請求項１ないし請求項６のいずれか一項に記載の光ピックアップ装置。
【請求項８】
光ディスクのレーベル面に描画が可能であると共に、光ディスクの情報記録面に情報を記録する及び／または当該情報記録面に記録された情報を再生する光ディスク装置であって、
請求項１ないし請求項７のいずれか一項に記載の光ピックアップ装置と、
前記光ピックアップ装置を前記光ディスクの径方向に移動させる光ピックアップ装置移動部と、
前記光ディスクを装着して回転駆動するディスクモータと、
前記光ピックアップ装置、光ピックアップ装置移動部及びディスクモータが取付けられる筐体と、
信号処理系および制御系を有する電気回路と、
を備えた光ディスク装置。
【発明の詳細な説明】
【技術分野】
【０００１】
本発明は、光ディスクに情報の記録を行う及び／または光ディスクに記録された情報の再生を行う光ピックアップ装置及びこれを備えた光ディスク装置に係り、特に、光ディスクのレーベル面に描画を行うことが可能な光ピックアップ装置及びこれを備えた光ディスク装置に関する。
【背景技術】
【０００２】
従来から、例えば、ＢＤ（Blue-ray Disc）、ＨＤ  ＤＶＤ（High Definition Digital Versatile Disc）、ＤＶＤ、ＣＤ等に代表される光ディスク（光学的情報記録媒体）に情報の記録を行う及び／または光ディスクに記録された情報の再生を行う光ピックアップ装置及びこれを備えた光ディスク装置が使用されている。
【０００３】
近年、このような光ピックアップ装置や光ディスク装置の分野では、光ディスクの情報記録面とは反対側に形成されているレーベル面に、光ピックアップ装置から照射される光ビームにより描画を行う技術（以下、この技術を「レーベル面描画技術」と記す）が提案されており、レーベル面描画技術に対応した光ピックアップ装置及び光ディスク装置が普及しつつある。（例えば、特許文献１参照）。
【０００４】
また、データを記録するためのデータ記録層と、視認可能な図形が書込まれる図形書込層とを有してなり、前記図形書込層は、反射膜と、この反射膜に対して前記データ記録層と反対側の領域に保護膜を介して形成された複数層のエネルギー照射により原子配列が変化する膜とを備え、光照射によって前記データ記録層へのユーザデータの記録または前記図形書込層への視認可能な図形の書込みが行われる光ディスクも提案されている。（例えば、特許文献２参照）。
【特許文献１】特開２００４−２１３８０２号公報
【特許文献２】特開２００７−２９４０１２号公報
【発明の開示】
【発明が解決しようとする課題】
【０００５】
前述したような光ピックアップ装置は、照射した光ビームを光ディスクの情報記録面に集光させるための対物レンズを有しているが、前記情報記録面上には透明基板が配設されているため、前記対物レンズは、前記光ビームが当該透明基板を透過して情報記録面に集光されるように設計されている。ここで、光ピックアップ装置から照射される光ビームによってレーベル面に描写を行う場合、レーベル面が光ピックアップ装置と対向するように光ディスクを装着するが、レーベル面は、光ディスクの表面に形成されており、前述した情報記録面とは異なり、透明基板が配設されていない。したがって、前記対物レンズを介してレーベル面に光ビームを照射すると、大きな球面収差が発生し、当該光ビームを最適に集光することが困難となる。
【０００６】
そこで、光ディスクの情報記録面に光ビームを集光する場合と、レーベル面に光ビームを集光する場合とで、光ディスクに対し対物レンズを移動させ、光ビームの集光面と対物レンズとの距離を調整することで、両者ともに光ビームを適切に集光させている。しかしながら、この場合、対物レンズを移動させるための空間が必要となり、光ピックアップ装置を小型化することが困難となる。また、対物レンズを移動させるため、消費電力が増加し、省エネルギー化が困難となる。
【０００７】
本発明は、このような事情に鑑みなされたものであり、光ディスクのレーベル面に描画を行うことが可能であると共に、小型化及び省エネルギー化が達成された光ピックアップ装置及びこの光ピックアップ装置を備えた光ディスク装置を提供することを目的とする。
【課題を解決するための手段】
【０００８】
この目的を達成するため本発明は、光ディスクのレーベル面に描画が可能であると共に、光ディスクの情報記録面に情報を記録する及び／または当該情報記録面に記録された情報を再生する光ピックアップ装置であって、第１の光ディスクの情報記録面に第１の光ビームを照射する第１の光源と、前記第１の光ディスクのレーベル面と、第２の光ディスクの情報記録面及びレーベル面に第２の光ビームを照射する第２の光源と、前記第１の光ディスクの情報記録面に前記第１の光ビームを集光する第１の対物レンズと、前記第１の光ディスクのレーベル面と、第２の光ディスクの情報記録面及びレーベル面に、前記第２の光ビームを集光する第２の対物レンズと、前記第１の光ビームと第１の対物レンズとの間に配置され、当該第１の光ビームの発散角を変更する第１のカップリングレンズと、前記第２の光ビームと第１の対物レンズとの間に配置され、当該第２の光ビームの発散角を変更する第２のカップリングレンズと、前記第２の光ビームが集光される集光面に応じて、前記第２のカップリングレンズを光軸方向に移動させるカップリングレンズ移動装置と、を備えた光ピックアップ装置を提供するものである。
【０００９】
また、本発明は、光ディスクのレーベル面に描画が可能であると共に、光ディスクの情報記録面に情報を記録する及び／または当該情報記録面に記録された情報を再生する光ディスク装置であって、前述した光ピックアップ装置と、前記光ピックアップ装置を前記光ディスクの径方向に移動させる光ピックアップ装置移動部と、前記光ディスクを装着して回転駆動するディスクモータと、前記光ピックアップ装置、光ピックアップ装置移動部及びディスクモータが取付けられる筐体と、信号処理系および制御系を有する電気回路と、を備えた光ディスク装置を提供するものである。
【発明の効果】
【００１０】
本発明によれば、光ディスクのレーベル面に描画を行うことが可能であると共に、小型化及び省エネルギー化が達成された光ピックアップ装置及びこの光ピックアップ装置を備えた光ディスク装置を提供することができる。
【発明を実施するための最良の形態】
【００１１】
次に、本発明の好適な実施の形態にかかる光ピックアップ装置及びこの光ピックアップ装置を備えた光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１２】
図１は、本発明の実施の形態にかかる光ピックアップ装置の内部構成を簡略化して示す平面図、図２は、図１に示す光ピックアップ装置の構成要素である対物レンズと光ディスクとの関係を簡略化して矢印Ｙ方向に見た側面図、図３は、図１に示す光ピックアップ装置の構成要素である対物レンズ、光ディスク及び反射ミラーの関係を簡略化して矢印Ｘ方向に見た側面図、図４（ａ）は、図３に示す対物レンズの焦点を光ディスクの情報記録面に合わせた状態を示す側面図、図４（ｂ）は、図３に示す対物レンズの焦点を光ディスクのレーベル面に合わせた状態を示す側面図、図５（ａ）は、図３に示す対物レンズの焦点を光ディスクの情報記録面に合わせた状態を示す側面図、図５（ｂ）は、カップリングレンズを光軸方向に移動させることで、図５（ａ）に示す対物レンズの焦点を光ディスクのレーベル面に合わせた状態を示す側面図、図６は、図１に示す光ピックアップ装置の構成要素であるカップリングレンズと、カップリングレンズ移動装置の関係を簡略化して示す平面図、図７は、図６に示すカップリングレンズ移動装置により、カップリングレンズを矢印Ｙ方向に移動させた状態を示す平面図、図８は、図６に示すカップリングレンズ移動装置により、カップリングレンズを矢印−Ｙ方向に移動させた状態を示す平面図である。
【００１３】
なお、前記各図では、説明を判り易くするため、各部材の厚さやサイズ、拡大・縮小率等は、実際のものとは一致させずに記載した。また、図中に矢印Ｘで示す方向は、光ディスクの径方向を示しており、矢印方向が光ディスクの外周側に相当し、この矢印方向を＋Ｘ方向とし、これと反対の方向が光ディスクの内周側に相当し、この方向を−Ｘ方向として説明する。そしてまた、同一平面でＸ方向に対し垂直な方向を図中に矢印Ｙで示し、矢印方向を＋Ｙ方向とし、これと反対の方向を−Ｙ方向として説明する。また、図中に矢印Ｚで示す方向は、光ピックアップの厚さ方向を示しており、矢印方向が光ディスク側に相当し、この矢印方向を＋Ｚ方向とし、これと反対の方向を−Ｚ方向として説明する。
【００１４】
図１〜図８に示すように、本実施の形態にかかる光ピックアップ装置５０は、ケース１００を備え、このケース１００内には、ＢＤ光学系部品、ＤＶＤ及びＣＤ光学系部品、機構部品等が収容されている。
【００１５】
ＢＤ光学系は、青紫色レーザ光源１１（第１の光源）を有し、この青紫色レーザ光源１１から出射された光ビームは、ＢＤ１０１に情報を記録する及び／またはＢＤ１０１に記録された情報を再生するために用いられる。また、ＢＤ光学系は、青紫色レーザ光源１１を基準として＋Ｙ方向に向けて所定の間隔をおいて順に、プリズム１５、グレーティング１６、ＢＤ用カップリングレンズ２（以下、「ＢＤ用ＣＰレンズ２」と記す）、波長板１７、ＢＤ用対物レンズ６が配設されている。そしてまた、ＢＤ用対物レンズ６の−Ｚ方向には、ＢＤ用対物レンズ６に入射する光ビームの光路を変更する立上げミラー２５（図２参照）が配設されている。さらにまた、ＢＤ光学系には、プリズム１５の＋Ｘ方向に配設されたＢＤ用光検出器１３が配設されている。
【００１６】
ＢＤ用ＣＰレンズ２は、後に詳述するＤＶＤ及びＣＤ用カップリングレンズ１（以下、「ＤＶＤ及びＣＤ用ＣＰレンズ１」と記す）と共通のカップリングレンズホルダ３（以下、「ＣＰレンズホルダ３」と記す）に搭載されている。このＣＰレンズホルダ３には、ＢＤ用ＣＰレンズ２及びＤＶＤ及びＣＤ用ＣＰレンズ１が光路方向に移動するようにＣＰレンズホルダ３を移動させるカップリングレンズ移動装置４（以下、「ＣＰレンズ移動装置４」と記す）が配設されている。
【００１７】
ＣＰレンズホルダ３は、特に図６〜図８に示すように、ＢＤ用ＣＰレンズ２と、ＤＶＤ及びＣＤ用ＣＰレンズ１を、互いに間隔を置いて配置し、その一端には、後に詳述するＣＰレンズ移動装置４の構成要素であるスクリュー３７とシャフト３９を貫通させる貫通孔４６及び４７が形成されている。また、ＣＰレンズホルダ３の他端には、ＣＰレンズ移動装置４の構成要素であるシャフト４０を貫通させる貫通孔４８が形成されている。
【００１８】
ＣＰレンズ移動装置４は、特に図６〜図８に示すように、ＣＰレンズホルダ３の一端側に位置する基台４２と、基台４２に配設されたモータ３６と、基台４２に配設され、モータの３６の回転軸と同心円上で接続されて貫通孔４６を貫通するスクリュー３７と、スクリュー３７を移動可能に貫通し、基台４２とＣＰレンズホルダ３との間に位置するナット３８と、基台４２と一体的に取付けられ、スクリュー３７の先端を保持する軸受４４と、基台４２に配設され、スクリュー３７と間隔をおいて平行に配設されて貫通孔４７を貫通するシャフト３９と、シャフト３９を貫通し、ＣＰレンズホルダ３よりもシャフト３９の先端側（基台４２と離れた側）に位置するコイルばね４１と、基台４２と一体的に取付けられ、シャフト３９の先端を固定する固定用ホルダ４３と、ＣＰレンズホルダ３の他端側に配設され、貫通孔４８を貫通するシャフト４０と、シャフト４０の一方の先端を固定する固定用ホルダ４５Ａと、シャフト４０の他方の先端を固定する固定用ホルダ４５Ｂとを備えている。
【００１９】
このＣＰレンズ移動装置４は、モータ３６の駆動によりスクリュー３７が回転することによってナット３８が移動する。ナット３８が−Ｙ方向に移動するよう、スクリュー３７が回転した際は、ナット３８がＣＰレンズホルダ３を−Ｙ方向に押圧し、図８に示すようにＣＰレンズホルダ３は−Ｙ方向に移動する。この時、コイルばね４１は、ＣＰレンズホルダ３の一端により−Ｙ方向に押されて縮み、ＣＰレンズホルダ３の一端を＋Ｙ方向に付勢する。また、ナット３８が＋Ｙ方向に移動するよう、スクリュー３７が回転した際は、コイルばね４１の付勢力により、ＣＰレンズホルダ３が＋Ｙ方向に押圧され、図７に示すようにＣＰレンズホルダ３は＋Ｙ方向に移動する。
【００２０】
ＢＤ用対物レンズ６は、後に詳述するＤＶＤ及びＣＤ用対物レンズ５と共通の対物レンズホルダ７に搭載されている。この対物レンズホルダ７には、ＢＤ用対物レンズ６及びＤＶＤ及びＣＤ用対物レンズ５が光路方向に移動するように対物レンズホルダ７を移動させる対物レンズ移動装置１０が配設されている。
【００２１】
対物レンズホルダ７は、特に図１に示すように、ＢＤ用対物レンズ６と、ＤＶＤ及びＣＤ用対物レンズ５を、互いに間隔を置いて配置し、その両端には、対物レンズ移動装置１０の構成要素であるワイヤ８Ａ及び８Ｂが各々取付けられるワイヤ取付部４９Ａ及び４９Ｂがそれぞれ形成されている。
【００２２】
対物レンズ移動装置１０は、一端が対物レンズホルダ７のワイヤ取付部４９Ａに取付けられたワイヤ８Ａと、一端が対物レンズホルダ７のワイヤ取付部４９Ｂに取付けられたワイヤ８Ｂと、ワイヤ８Ａ及び８Ｂの他端が各々取付けられたワイヤ固定部９と、ワイヤ８Ａ及び８Ｂを±Ｚ方向に移動させる図示しないワイヤ移動部と、を有している。
【００２３】
このＢＤ光学系では、青紫色レーザ光源１１から、例えば、波長λ1=４０５ｎｍ帯で光ビームが出射され、プリズム１５に入射される。プリズム１５は、＋Ｙ方向の光ビームをほぼ全透過させ、ＢＤ１０１に情報の記録／再生を行う際には、プリズム１５をほぼ全透過した＋Ｙ方向の光ビームの大部分は、グレーティング１６を経てＢＤ用ＣＰレンズ２に入射する。なお、プリズム１５をほぼ全透過した＋Ｙ方向の光ビームのうち、ＢＤ１０１に情報の記録を行う及び／または記録された情報を再生するために使用されない光ビームは、図示しないミラー等によって所定の方向に反射され、図示しないフロントモニタに入射して、光ビームの光量が検出される。このフロントモニタで検出された検出光量は、青紫色レーザ光源１１の図示しない制御回路にフィードバックされ、ＢＤ１０１に照射される光ビームの光量が所望の値に制御される。
【００２４】
ＢＤ用ＣＰレンズ２を透過した光ビームは、波長板１７により偏向され、立上げミラー２５によって光路が９０度変更され、ＢＤ用対物レンズ６に入射して集光され、ＢＤ１０１の情報記録面１０２のトラックに光スポットが照射される。これにより、ＢＤ１０１の情報記録面１０２に対する情報の記録／再生が行われる。
【００２５】
ここで、ＢＤ１０１は、２層の情報記録面に対する情報の記録／再生を行うため、情報が記録／再生される情報記録面上で光ビームの焦点が合うように、すなわち、ＢＤ１０１の情報記録面１０２における光スポットが最良の状態に保たれるように、ＢＤ用ＣＰレンズ２を光軸方向に移動させてＢＤ用対物レンズ６の球面収差を補正する。なお、光スポットが最良の状態とは、光スポット径が最小あるいは光スポットの波面収差が最小の状態をいう。具体的には、ＢＤ用ＣＰレンズ２を立上げミラー２５に近づけるよう光軸方向に移動すると、ＢＤ用対物レンズ６に近い位置に形成されている情報記録面に光ビームの焦点が合い、ＢＤ用ＣＰレンズ２を立上げミラー２５から遠ざけるよう光軸方向に移動すると、ＢＤ用対物レンズ６に遠い位置に形成されている情報記録面に光ビームの焦点が合う。本発明では、モータ３６を駆動してスクリュー３７を回転させることで、ＣＰレンズホルダ３を移動させ、ＢＤ用ＣＰレンズ２を光軸方向の所定位置に移動させる。
【００２６】
ＢＤ１０１の情報記録面１０２のトラックで反射した光ビームは、ＢＤ用対物レンズ６を透過して平行光ビームとなり、立上げミラー２５で反射され、波長板１７、ＢＤ用ＣＰレンズ２、グレーティング１６を経て、プリズム１５により＋Ｘ方向に光路が変更され、ＢＤ用光検出器１３に入射する。ＢＤ用光検出器１３では、フォーカス誤差信号、トラッキング誤差信号等が検出される。
【００２７】
一方、ＤＶＤ及びＣＤ光学系は、２波長マルチレーザ光源１２（第２の光源）を有し、２波長マルチレーザ光源１２から出射された光ビームは、ＤＶＤ１０４及びＣＤ１０５の情報記録面１０２に情報を記録する及び／またはＤＶＤ１０４及びＣＤ１０５の情報記録面１０２に記録された情報を再生するために用いられる。また、ＤＶＤ及びＣＤ光学系は、２波長マルチレーザ光源１２を基準として＋Ｘ方向に向けて順に、波長板２０、グレーディング１９、ミラー１８が配設されている。さらにまた、ミラー１８を基準として＋Ｙ方向に向けて順に、ＤＶＤ及びＣＤ用ＣＰレンズ１、液晶収差補正素子２１、波長板２２、ＤＶＤ及びＣＤ用対物レンズ５が配設されている。そしてまた、ＤＶＤ及びＣＤ用対物レンズ５の−Ｚ方向には、ＤＶＤ及びＣＤ用対物レンズ５に入射する光ビームの光路を変更する立上げミラー２６（図２〜図５参照）が配設されている。さらにまた、ＤＶＤ及びＣＤ光学系は、ミラー１８を基準として−Ｙ方向に向けて順に、検出レンズ２３、ＤＶＤ及びＣＤ用光検出器１４が配設されている。
【００２８】
ＤＶＤ１０４及びＣＤ１０５の情報記録面１０２に情報の記録／再生を行う際は、２波長マルチレーザ光源１２から光ビームを出射する。この２波長マルチレーザ光源１２には、例えば、波長λ2＝６６０ｎｍ帯の光ビームを出射する図示しないＤＶＤレーザチップと、波長λ3＝７８０ｎｍ帯の光ビームを出射する図示しないＣＤレーザチップが搭載されている。
【００２９】
ＤＶＤ１０４の情報記録面１０２に情報の記録／再生を行う際は、２波長マルチレーザ光源１２のＤＶＤレーザチップから波長λ2＝６６０ｎｍ帯の光ビームが出射される。この光ビームのうち、ＤＶＤ１０４に情報の記録／再生を行うために使用されない光ビームの一部は、図示しないフロントモニタに入射して、光ビームの光量が検出される。このフロントモニタで検出された検出光量は、２波長マルチレーザ光源１２の図示しない制御回路にフィードバックされることでＤＶＤ１０４に照射される光ビームの光量が所望の値に制御される。
【００３０】
一方、ＤＶＤ１０４に情報の記録／再生を行うために使用される光ビームは、波長板２０、グレーディング１９を経てミラー１８でほぼ全反射され、光路が＋Ｙ方向に変更され、ＤＶＤ及びＣＤ用ＣＰレンズ１に入射する。ＤＶＤ及びＣＤ用ＣＰレンズ１を透過した光ビームは、液晶収差補正素子２１により収差が補正され、波長板２２により偏向されて、立上げミラー２６によって光路が９０度変更され、ＤＶＤ及びＣＤ用対物レンズ５に入射して集光され、ＤＶＤ１０４の情報記録面１０２のトラックに光スポットが照射される。これにより、ＤＶＤ１０４の情報記録面１０２に対する情報の記録／再生が行われる。
【００３１】
なお、ＤＶＤ及びＣＤ用対物レンズ５によって集光される光ビームの焦点が、ＤＶＤ１０４の情報記録面１０２上になるように、ＤＶＤ及びＣＤ用ＣＰレンズ１の光軸方向の位置を予めイニシャル位置として設定しておけば、ここでモータ３６を駆動させ、ＣＰレンズホルダ３を移動させる必要はない。
【００３２】
ＤＶＤ１０４の情報記録面１０２のトラックで反射した光ビームは、ＤＶＤ及びＣＤ用対物レンズ５を透過して平行光ビームとなり、立上げミラー２６で反射され、波長板２２、液晶収差補正素子２１、ＤＶＤ及びＣＤ用ＣＰレンズ１を経て、ミラー１８を透過し、検出レンズ２３を経てＤＶＤ及びＣＤ用光検出器１４に入射する。ＤＶＤ及びＣＤ用光検出器１４では、フォーカス誤差信号、トラッキング誤差信号等が検出される。
【００３３】
ＣＤ１０５の情報記録面１０２に情報の記録／再生を行う際は、２波長マルチレーザ光源１２のＣＤレーザチップから波長λ3＝７８０ｎｍ帯の光ビームが出射され、ＤＶＤ１０４の場合と同様にＣＤ１０５の情報記録面１０２のトラックに光スポットが照射される。これにより、ＣＤ１０５の情報記録面１０２に対する情報の記録／再生が行われる。また、ＣＤ１０５の情報記録面１０２のトラックで反射した光ビームは、ＤＶＤ１０４とほぼ同じ光路を進行し、ＤＶＤ及びＣＤ用光検出器１４に入射してフォーカス誤差信号、トラッキング誤差信号等が検出される。
【００３４】
一方、ＢＤ１０１のレーベル面１０３、ＤＶＤ１０４のレーベル面１０３、またはＣＤ１０５のレーベル面１０３に描画を行う際は、図４（ｂ）に示すように、レーベル面１０３がＤＶＤ及びＣＤ用対物レンズ５と対向するようにＢＤ１０１、ＤＶＤ１０４またはＣＤ１０５を装着する。このレーベル面１０３への描画には、２波長マルチレーザ光源１２が使用され、２波長マルチレーザ光源１２から照射された光は、ＤＶＤ１０４及びＣＤ１０５の情報記録面１０２に情報の記録／再生を行う時と同様の光路でＤＶＤ及びＣＤ用対物レンズ５に到達する。
【００３５】
この時、ＤＶＤ及びＣＤ用ＣＰレンズ１の光軸方向の位置が、図５（ａ）に示すように、ＤＶＤ１０４及びＣＤ１０５の情報記録面１０２に情報の記録／再生を行う位置であると、ＤＶＤ及びＣＤ用対物レンズ５から出射される光ビームの焦点がレーベル面１０３よりも奥側の位置で合うことになるため、良好な描画を行うことができない。そこで、モータ３６を駆動させ、図５（ｂ）に示すように、ＣＰレンズホルダ３を移動させて立上げミラー２６に近づけることで、ＤＶＤ及びＣＤ用ＣＰレンズ１が、立上げミラー２６に向けて光軸方向に移動し、ＤＶＤ及びＣＤ用対物レンズ５から出射される光ビームの焦点がレーベル面１０３上となるように、すなわち、レーベル面１０３における光スポットが最良の状態に保たれるようにする。このようにすることで、ＤＶＤ及びＣＤ用対物レンズ５を光軸方向に移動させることなくレーベル面１０３に良好な描画を行うことができる。
【００３６】
なお、前述したように、ＢＤ用ＣＰレンズ２は、２層の情報記録面を持つＢＤ１０１に対応するため、情報の記録／再生を行うべき情報記録面に応じて、光軸方向に移動させる移動装置が必要である。本発明では、ＤＶＤ及びＣＤ用ＣＰレンズ１及びＢＤ用ＣＰレンズ２は、共通のＣＰレンズホルダ３に搭載されているため、ＣＰレンズ移動装置４によりＣＰレンズホルダ３を所定の位置に移動させることで、ＤＶＤ及びＣＤ用ＣＰレンズ１とＢＤ用ＣＰレンズ２の両者を光軸方向の所定位置に移動させることができる。このため、ＤＶＤ及びＣＤ用ＣＰレンズ１を移動させるための移動装置を別途設ける必要がない。したがって、コストが向上することを抑制することができ、光ピックアップ装置５０が大型化することを抑制することもできる。また、レーベル面１０３に良好な描画を行うため、従来のように、ＤＶＤ及びＣＤ用対物レンズ５を大幅に移動させる必要がないため、省スペース化、省エネルギー化に貢献することもできる。
【００３７】
また、所望により、例えば、モータ３６を駆動させ、ＣＰレンズホルダ３を立上げミラー２６に近づけるよう移動させる動作と、図４（ｂ）に示すように、対物レンズ移動装置１０により、レーベル面１０３からＤＶＤ及びＣＤ用対物レンズ５が遠ざかるように対物レンズホルダ７を移動させる動作を併用し、ＤＶＤ及びＣＤ用対物レンズ５から出射される光ビームの焦点がレーベル面１０３上となるように、すなわち、レーベル面１０３における光スポットが最良の状態に保たれるようにしてもよい。この場合、ＤＶＤ及びＣＤ用対物レンズ５を、光軸方向にある程度移動させるが、ＤＶＤ及びＣＤ用ＣＰレンズ１の移動と併用することにより、ＤＶＤ及びＣＤ用対物レンズ５の移動距離を従来に比べ低減させることができる。
【００３８】
なお、本実施の形態では、モータ３６を駆動してスクリュー３７を回転させることで、ナット３８を−Ｙ方向に移動させ、ＣＰレンズホルダ３を押圧することでＣＰレンズホルダ３を−Ｙ方向に移動し、スクリュー３７を前記とは反対の方向に回転させることで、ナット３８を＋Ｙ方向に移動させ、コイルばね４１の付勢力によりＣＰレンズホルダ３を＋Ｙ方向に移動させる場合について説明したが、これに限らず、例えば、スクリュー３７が貫通する貫通孔４６に、スクリュー３７に形成されている雄螺子に螺合する雌螺子を形成し、スクリュー３７の回転に応じてＣＰレンズホルダ３を±Ｙ方向に移動させてもよい。
【００３９】
また、本実施の形態では、第２の光源として、２波長マルチレーザ光源１２を使用し、ＤＶＤ１０４の情報記録面１０２及びＣＤ１０５の情報記録面１０２に、共通の光源により情報の記録／再生を行う場合について説明したが、これに限らず、ＤＶＤ１０４の情報記録面１０２に情報の記録／再生を行う光源と、ＣＤ１０５の情報記録面１０２に情報の記録／再生を行う光源の両方を配設してもよい。そしてまた、第２の光源として、ホログラムレーザ光源を配設し、ホログラムディスクに情報の記録／再生を行い、ホログラムレーザ光源によってレーベル面１０３に描画を行ってもよい。また、このホログラムレーザ光源は、波長の異なる２種類の光源を配設してもよい。
【００４０】
次に、本実施の形態にかかる光ピックアップ装置５０を搭載した光ディスク装置について図面を参照して説明する。
【００４１】
図９は、本実施の形態にかかる光ディスク装置の概略を示す斜視図である。本実施の形態にかかる光ディスク装置５００は、筐体５０２と、筐体５０２に挿抜可能に配設されたトレイ５０３とを有している。筐体５０２は、ボトムケース５２１と、ボトムケース５２１に配設されるトップケース５２２から構成された箱形を有し、筐体５０２の開口から筐体５０２内にトレイ５０３が挿入され、且つ筐体５０２内からトレイ５０３が引出される構成となっている。
【００４２】
ボトムケース５２１には、光ディスク装置５００を駆動するための信号処理系および制御系を有する電気回路が搭載された回路基板５２３が配設されている。さらにまた、ボトムケース５２１には、光ディスク装置５００に接続されたＦＰＣ５２４が配設されている。
【００４３】
トレイ５０３には、光ディスク１００５を装着する光ディスク装着部５３３が形成されており、この光ディスク装着部５３３には開口３３６が設けられ、この開口３３６からは、光ピックアップ装置５０の一部が表出している。また、光ディスク装着部５３３には、トレイ５０３の挿抜方向の角部５７３に向けて平行に延出する図示しない２本のガイドレールが設けられており、光ピックアップ装置５０は、これらのガイドレールに沿って光ディスクの径方向に移動可能となっている。また、光ディスク装着部５３３のほぼ中心に対応する位置には、光ディスクを装着して回転駆動するスピンドルモータ５５０（ディスクモータ）が設けられている。なお、符号５３５は、筐体５０２の開口を塞ぐベセルである。
【００４４】
本発明にかかる光ディスク装置は、小型化、省エネルギー化が向上された光ピックアップ装置が搭載されているため、光ディスク装置の小型化、省エネルギー化を達成することができる。
【図面の簡単な説明】
【００４５】
【図１】本発明の実施の形態にかかる光ピックアップ装置の内部構成を簡略化して示す平面図である。
【図２】図１に示す光ピックアップ装置の構成要素である対物レンズと光ディスクとの関係を簡略化して矢印Ｙ方向に見た側面図である。
【図３】図１に示す光ピックアップ装置の構成要素である対物レンズ、光ディスク及び反射ミラーの関係を簡略化して矢印Ｘ方向に見た側面図である。
【図４】（ａ）は、図３に示す対物レンズの焦点を光ディスクの情報記録面に合わせた状態を示す側面図である。（ｂ）は、図３に示す対物レンズの焦点を光ディスクのレーベル面に合わせた状態を示す側面図である。
【図５】（ａ）は、図３に示す対物レンズの焦点を光ディスクの情報記録面に合わせた状態を示す側面図である。（ｂ）は、カップリングレンズを光軸方向に移動させることで、図５（ａ）に示す対物レンズの焦点を光ディスクのレーベル面に合わせた状態を示す側面図である。
【図６】図１に示す光ピックアップ装置の構成要素であるカップリングレンズと、カップリングレンズ移動装置の関係を簡略化して示す平面図である。
【図７】図６に示すカップリングレンズ移動装置により、カップリングレンズを矢印Ｙ方向に移動させた状態を示す平面図である。
【図８】図６に示すカップリングレンズ移動装置により、カップリングレンズを矢印−Ｙ方向に移動させた状態を示す平面図である。
【図９】本実施の形態にかかる光ディスク装置の概略を示す斜視図である。
【符号の説明】
【００４６】
１…ＤＶＤ及びＣＤ用ＣＰレンズ、  ２…ＢＤ用ＣＰレンズ、  ３…ＣＰレンズホルダ、４…ＣＰレンズ移動装置、  ５…ＤＶＤ及びＣＤ用対物レンズ、  ６…ＢＤ用対物レンズ、７…対物レンズホルダ、  １０…対物レンズ移動装置、  １１…青紫色レーザ光源（第１の光源）、  １２…２波長マルチレーザ光源（第２の光源）、  ５０…光ピックアップ装置、１００…ケース、  １０１…ＢＤ、  １０２…情報記録面、  １０３…レーベル面、  １０４…ＤＶＤ、  １０５…ＣＤ、  ５００…光ディスク装置
【図１】
2010108564.tif 000003
【図２】
2010108564.tif 000004
【図３】
2010108564.tif 000005
【図４】
2010108564.tif 000006
【図５】
2010108564.tif 000007
【図６】
2010108564.tif 000008
【図７】
2010108564.tif 000009
【図８】
2010108564.tif 000010
【図９】
2010108564.tif 000011